(57)【要約】【課題】かご室内に伝わる騒音をより軽減することができるエレベータのかご室を提供する。【解決手段】かご室３の内壁部は、かご室３の内部空間を形成するように並べられた複数の内壁部材６によって構成されている。かご室３の外壁部は、複数の外壁部材７によって構成されている。複数の外壁部材７は、それぞれ複数の内壁部材６からかご室３の外側へ間隔をおいて、複数の内壁部材６に対向配置されている。互いに対向する内壁部材６と外壁部材７との間には、空気層αが形成されている。一対の突出部７ｂは、壁面形成部７ａの水平断面における両端のそれぞれから、内壁部材６側へ向けて突出している。複数の外壁部材７は、かご室３の外壁部の外面が平坦となるように並べられている。外壁部材７の壁面形成部７ａにおける内壁部材６と対向する面には、吸音材１４が貼り付けられ、かつ縦補強材１５が取り付けられている。【選択図】図３
2012006720.tif 000002
【特許請求の範囲】
【請求項１】
水平方向に間隔をおいて互いに対向配置された内壁部及び外壁部を有するエレベータのかご室であって、
前記かご室の内部空間を形成するように並べられ前記内壁部の内面をなす複数の内壁部材と、
前記内壁部材から水平方向外側に間隔をおいて対向配置され前記外壁部の外面を形成する板状の壁面形成部と、前記壁面形成部の水平方向両端部から前記内壁部材側へ突出する一対の突出部とをそれぞれ有し、前記外壁部の外面が平坦になるように並べられ、前記外壁部をなす複数の外壁部材と、
前記外壁部材の前記一対の突出部と前記内壁部材とを接続し、前記外壁部材と前記内壁部材とを互いに間隔をおいた状態で保持する接続部材と
を備えることを特徴とするエレベータのかご室。
【請求項２】
前記接続部材は、
前記外壁部材の前記一対の突出部の上端部と前記内壁部材の上端部とを接続する上部接続部材と、
前記外壁部材の前記一対の突出部の下端部と前記内壁部材の下端部とを接続する下部接続部材と
からなることを特徴とする請求項１記載のエレベータのかご室。
【請求項３】
前記外壁部材における前記内壁部材と対向する面に設けられた吸音材及び縦補強材
をさらに備えることを特徴とする請求項１又は請求項２に記載のエレベータのかご室。
【発明の詳細な説明】
【技術分野】
【０００１】
この発明は、互いに間隔をおいて対向配置された内壁部及び外壁部を有するエレベータのかご室に関する。
【背景技術】
【０００２】
一般的なエレベータでは、かごの走行音によって騒音が生じ、その騒音は、かごの昇降速度が速くなるほど大きくなる。従って、例えば分速１０００ｍ以上の超高速エレベータでは、騒音が比較的大きいことから、騒音の軽減させるための構造が必要となる。従来装置では、かご室内に流入する音を低減させるため、内壁部材と外壁部材との２重の壁材によってかご室の壁部が構成されている（例えば、特許文献１参照）。
【０００３】
ここで、従来のエレベータのかご室について説明する。図６は、従来のエレベータのかご室を示す断面図である。図７は、図６のＶＩＩ−ＶＩＩ線に沿う断面図である。図８は、図７のＶＩＩＩ−ＶＩＩＩ線に沿う断面図である。図９は、図６のＩＸ部を拡大して示す拡大図である。なお、図６は、従来のかご室における図１のＩＩ−ＩＩ線に沿う断面に相当する箇所を示す。
【０００４】
図６〜９において、複数の外壁部材７は、それぞれ複数の内壁部材６から間隔をおいて、複数の内壁部材６の外側に配置されている。互いに対向する内壁部材６と外壁部材７との間には、図７に示すように、空気層αが形成されている。また、外壁部材７は、板状の壁面形成部７ａと、壁面形成部７ａの水平断面における両端に配置され他の部材と接続するための一対の突出部７ｂとを有している。一対の突出部７ｂは、壁面形成部７ａの水平断面における両端のそれぞれから、壁面形成部７ａに対して水平方向で直交する方向へ向けて突出している。突出部７ｂの形状は、水平断面Ｌ字状である。
【０００５】
ここで、突出部７ｂがかご室３の外側へ向けて突出するように、即ち突出部７ｂよりも壁面形成部７ａがかご室３の内側に位置するように、外壁部材７が配置されており、壁面形成部７ａがボルト１２及びナット１３によって下部接続部材１０に取り付けられている。また、図８，９に示すように、壁面形成部７ａにおける内壁部材６の反対側の面には、吸音材１４が貼り付けられるとともに、縦補強材１５が取り付けられている。
【０００６】
以上のように、図６〜９に示すような従来装置では、内壁部材６と外壁部材７との間に設けられた空気層と、外壁部材７のかご室３の外側の面に貼り付けられた吸音材１４とによって、かご室３内に伝わる騒音の軽減を図っている。
【先行技術文献】
【特許文献】
【０００７】
【特許文献１】特開２００９−１１３９３３号公報
【発明の概要】
【発明が解決しようとする課題】
【０００８】
ここで、騒音の遮音効果を向上させる方法としては、内壁部材６及び外壁部材７の板厚を増やしたり、内壁部材６と外壁部材７との間の空気層αを大きくしたりすることが有効である。しかしながら、図６〜９に示すような従来装置では、壁面形成部７ａが突出部７ｂよりもかご室３の内側に配置されていることから、外壁部材７の厚さ分、空気層αが小さくなっており、騒音の遮音効果が十分ではなかった。
【０００９】
これに加えて、図６〜９に示すような従来装置では、突出部７ｂがかご室３の外側へ向けて突出するように外壁部材７が配置されており、かつ外壁部材７のかご室３の外側の面に吸音材１４及び縦補強材１５が設けられていることから、かご室３の外壁部の外面が凹凸状となっている。このため、かご室３の外壁部の外面の凹凸によって、かごの昇降の際に空気の乱れが生じ、その空気の乱れによる騒音が比較的大きくなっており、この点も問題であった。
【００１０】
この発明は、上記のような課題を解決するためになされたものであり、かご室内に伝わる騒音をより軽減することができるエレベータのかご室を得ることを目的とする。
【課題を解決するための手段】
【００１１】
この発明のエレベータのかご室は、水平方向に間隔をおいて互いに対向配置された内壁部及び外壁部を有するものであって、前記かご室の内部空間を形成するように並べられ前記内壁部の内面をなす複数の内壁部材と、前記内壁部材から水平方向外側に間隔をおいて対向配置され前記外壁部の外面を形成する板状の壁面形成部と、前記壁面形成部の水平方向両端部から前記内壁部材側へ突出する一対の突出部とをそれぞれ有し、前記外壁部の外面が平坦になるように並べられ、前記外壁部をなす複数の外壁部材と、前記外壁部材の前記一対の突出部と前記内壁部材とを接続し、前記外壁部材と前記内壁部材とを互いに間隔をおいた状態で保持する接続部材とを備えるものである。
【発明の効果】
【００１２】
この発明のエレベータのかご室によれば、外壁部の外面が平坦となるように複数の外壁部材が並べられており、複数の外壁部材のそれぞれの壁面形成部がそれぞれの突出部よりもかご室の外側に配置されているので、外壁部の外面の凹凸がなくなるとともに、図６〜９に示すような従来装置に比べて、外壁部材における突出部の寸法分、空気層が大きくなって騒音の遮音効果が向上することから、かご室内に伝わる騒音をより軽減することができる。
【図面の簡単な説明】
【００１３】
【図１】この発明の実施の形態１によるエレベータのかごを示す斜視図である。
【図２】図１のＩＩ−ＩＩ線に沿う断面図である。
【図３】図２のＩＩＩ−ＩＩＩ線に沿う断面図である。
【図４】図３のＩＶ−ＩＶ線に沿う断面図である。
【図５】図２のＶ部を拡大して示す断面図である。
【図６】従来のエレベータのかご室を示す断面図である。
【図７】図６のＶＩＩ−ＶＩＩ線に沿う断面図である。
【図８】図７のＶＩＩＩ−ＶＩＩＩ線に沿う断面図である。
【図９】図６のＩＸ部を拡大して示す断面図である。
【発明を実施するための形態】
【００１４】
以下、この発明を実施するための形態について、図面を参照して説明する。
実施の形態１．
図１は、この発明の実施の形態１によるエレベータのかごを示す斜視図である。図２は、図１のＩＩ−ＩＩ線に沿う断面図である。図３は、図２のＩＩＩ−ＩＩＩ線に沿う断面図である。図４は、図３のＩＶ−ＩＶ線に沿う断面図である。図５は、図２のＶ部を拡大して示す断面図である。
図１〜５において、かご１は、建物の昇降路内に昇降可能に設けられている。また、かご１は、主ロープ（図示せず）に接続されたかご枠（図示せず）と、かご枠を介して昇降路内に吊り下げられるかご床２と、かご床２に支持されたかご室３とを有している。かご室３は、正面部３ａ、第１側面部３ｂ、第２側面部３ｃ、背面部３ｄ及び天井部３ｅを有している。
【００１５】
かご室３の正面部３ａには、かご出入口３ｆと、そのかご出入口３ｆを開閉するかごドア４と、一対の袖壁５が設けられている。かご室３の第１側面部３ｂ、第２側面部３ｃ及び背面部３ｄは、水平方向で間隔をおいて互いに対向配置された内壁部及び外壁部によって構成されている。かご室３の内壁部は、かご室３の内部空間を形成するように並べられた複数の内壁部材６によって構成されている。複数の内壁部材６は、内壁部の内面を形成している。
【００１６】
かご室３の外壁部は、複数の外壁部材７によって構成されている。複数の外壁部材７は、それぞれ複数の内壁部材６からかご室３の外側へ間隔をおいて、複数の内壁部材６に対向配置されている。互いに対向する内壁部材６と外壁部材７との間には、図３に示すように、空気層αが形成されている。
【００１７】
さらに、外壁部材７は、板状の壁面形成部７ａと、一対の突出部７ｂとを有している。壁面形成部７ａは、かご室３の外壁部の外面を形成している。一対の突出部７ｂは、壁面形成部７ａの水平断面における両端のそれぞれから、内壁部材６側へ向けて突出している。突出部７ｂの形状は、水平断面Ｌ字状である。ここで、複数の外壁部材７は、かご室３の外壁部の外面が平坦となるように並べられている。
【００１８】
互いに隣り合う外壁部材７同士の間には、これらの外壁部材７同士の間の隙間を塞ぐ外壁間塞ぎ材８が設けられている。また、互いに隣り合う外壁部材７と袖壁５との間には、外壁部材７と袖壁５との間の隙間を塞ぐコーナ用塞ぎ材９が設けられている。
【００１９】
かご床２の上面における外周部には、図３に示すように、下部接続部材（下部補強材）１０が取り付けられている。内壁部材６の下端部は、下部接続部材１０に固定されている。外壁部材７の突出部７ｂの下端部は、ボルト１２及びナット１３によって、下部接続部材１０に取り付けられている。つまり、下部接続部材１０は、内壁部材６の下端部と外壁部材７の突出部７ｂの下端部とを接続し、これらの下端部同士の間の隙間を塞いでいる。
【００２０】
また、内壁部材６の上端部には、上部接続部材（上部補強材）１１が固定されている。外壁部材７の突出部７ｂの上端部は、ボルト１２及びナット１３によって、上部接続部材１１に取り付けられている。つまり、上部接続部材１１は、内壁部材６の上端部と外壁部材７の突出部７ｂの上端部とを接続し、これらの上端部同士の間の隙間を塞いでいる。
【００２１】
さらに、外壁部材７の壁面形成部７ａにおける内壁部材６と対向する面には、吸音材１４が貼り付けられ、かつ縦補強材１５が取り付けられている。即ち、吸音材１４及び縦補強材１５は、内壁部材６と外壁部材７との間の空気層α内に収容されている。
【００２２】
上記のような実施の形態１によれば、かご室３の外壁部の外面が平坦となるように複数の外壁部材７が並べられており、複数の外壁部材７のそれぞれの壁面形成部７ａがそれぞれの突出部７ｂよりもかご室３の外側に配置されている。この構成により、かご室３の外壁部の外面の凹凸がなくなるとともに、図６〜９に示すような従来装置に比べて、外壁部材７における突出部７ｂの寸法分、空気層αが大きくなって騒音の遮音効果が向上することから、かご室３内に伝わる騒音をより軽減することができる。
【００２３】
また、下部接続部材１０が内壁部材６の下端部と外壁部材７の突出部７ｂの下端部とを接続し、上部接続部材１１が内壁部材６の上端部と外壁部材７の突出部７ｂの上端部とを接続している。この構成により、内壁部材６及び外壁部材７の高さ方向の中間部同士が非接触状態であることから、かご１の走行時に外壁部材７が加振された際に外壁部材７から内壁部材６へ伝わる振動を遮断することができる。
【００２４】
さらに、図６〜９に示すような従来装置では、かご室３の外壁部の外面が凹凸状であり、かつ吸音材１４及び縦補強材１５がかご室３の外壁部の外面に設けられているため、昇降路が例えばガラス等の光透過性部材で構成されている場合に、昇降路外からかご室３の外観を見た際の意匠性が低下していた。これに対して、実施の形態１では、かご室３の外壁部の外面が平坦となるように複数の外壁部材７が並べられており、かつ吸音材１４及び縦補強材１５が内壁部材６と外壁部材７との間の空気層α内に収容されているので、かご室３の外壁面を意匠面とすることができ、昇降路外からかご室３の外観を見た際の意匠性を向上させることができる。
【符号の説明】
【００２５】
１  かご、２  かご床、３  かご室、６  内壁部材、７  外壁部材、７ａ  壁面形成部、７ｂ  突出部、１０  下部接続部材、１１  上部接続部材、１４  吸音材、１５  縦補強材、α  空気層。
【図１】
2012006720.tif 000003
【図２】
2012006720.tif 000004
【図３】
2012006720.tif 000005
【図４】
2012006720.tif 000006
【図５】
2012006720.tif 000007
【図６】
2012006720.tif 000008
【図７】
2012006720.tif 000009
【図８】
2012006720.tif 000010
【図９】
2012006720.tif 000011